(57)【要約】      （修正有）【課題】コンクリートの現場打ち作業を無くし、予め成形しておく少数のセグメントブロックを組み合わせて、構築するブロック塀の態様に応じてＩ形基礎、逆Ｔ形基礎又はＬ形基礎を組み立てて容易に設置可能とする組立基礎ブロックを提供する。【解決手段】長方形の立ち上がり部用の幅広板状セグメントブロック５とフーチング部用の板状セグメントブロック１と結合用のボルト部材２、２…とで構成する。幅広板状セグメントブロック５には、その一方の長辺の端部に開口する複数のナット部材６、６…を埋め込んであり、かつ他方の長辺に沿ってその表裏を貫通するボルト貫通孔７、７…を開口してある。板状セグメントブロック１には、その幅方向中央部に長さ方向に沿って表裏貫通する対応する数のボルト貫通孔４、４…を開口し、かつその双方の長辺に、各々その端部に開口する複数のナット部材３、３…を埋め込んである。【選択図】図５
0003173315.tif 000002
【実用新案登録請求の範囲】
【請求項１】
鉄筋コンクリートで構成した立ち上がり部用及びフーチング部用のいずれにも用いることのできる長方形の板状セグメントブロックと、二つの該板状セグメントブロックを端面視で逆Ｔ字状に結合するためのボルト部材とで構成し、
前記板状セグメントブロックには、その両長辺に、各々その両長辺の面に開口する複数のナット部材であって、該両長辺の面に開口する各々が同数であり、相互に該板状セグメントブロックの長さ方向の対応する位置関係に配され、かつ前記ボルト部材と螺合しうる複数のナット部材を配設し、加えて該両長辺間に、該両長辺の面に開口すべく配した前記各対応関係のある二つのナット部材を結ぶ仮装線の中央に位置させて、両面を貫通する、前記ボルト部材を貫通させうるボルト貫通孔を開口したブロック塀用の組立基礎ブロック。
【請求項２】
前記板状セグメントブロックに、鉄筋コンクリートで構成した立ち上がり部用の長方形の幅広板状セグメントブロックを組み合わせたものであり、
前記幅広板状セグメントブロックを、前記板状セグメントブロックより幅広で、該板状セグメントブロックと同一厚さ及び同一長さに構成し、
かつ該幅広板状セグメントブロックには、その一方の長辺の面に、前記板状セグメントブロックのそれと同一の位置関係で複数のナット部材を開口すべく配設し、
更に該幅広板状セグメントブロックには、その幅方向には、その他方の長辺から前記板状セグメントブロックの厚さの１／２の距離だけ内側に、その長さ方向には、前記ナット部材と対応する位置関係に、前記ボルト部材を貫通させうるボルト貫通孔を開口させたものである請求項１のブロック塀用の組立基礎ブロック。
【請求項３】
前記ボルト貫通孔を、前記ボルト部材の頭部が対応することとなる一端側を該ボルト部材の頭部を嵌合することができる拡大部に構成したものである請求項１又は２のブロック塀用の組み立て基礎ブロック。
【考案の詳細な説明】
【技術分野】
【０００１】
本考案は、簡単かつスピーディに目的とするブロック塀に適するブロック塀用の基礎を構築できるブロック塀用の組立基礎ブロックに関するものである。
【背景技術】
【０００２】
ブロック塀用の基礎の提案例にはいくつかのものがある。
特許文献１は、コンクリートブロック塀用耐震プレキャスト布基礎であり、これは、フーチング部とその上に立ち上がる立ち上がり部とが予め一体に成形され、そのフーチング部及び立ち上がり部の複数箇所に上下貫通する杭打ち用穴が開口し、更に立ち上がり部に複数の中空部が開口してある布基礎本体からなるものである。
【０００３】
この特許文献１のプレキャスト布基礎によれば、要設置場所の地盤に必要な準備を施した上で、これを配置し、前記杭打ち用穴に杭を打ち込み、モルタル等を充填して該杭を固定すれば、安定したブロック塀用の基礎を容易に構築することができるとされている。
【０００４】
しかし、ブロック塀には、様々な高さや長さ又は厚さ等があり、それらの基礎は、当然、それらに対応する適切な構成の基礎であるべきである。この特許文献１のプレキャスト布基礎は、前記のように、一つのパターンのみを構成しうるものであり、様々な態様のブロック塀に対応する基礎を構築することはできない。
【０００５】
特許文献２は、本件に関係ある部分のみを示すと、基礎構築用コンクリート製ブロック体であり、これは、施設時に下面となる面にＵ字状鉄筋棒を垂下突設したものである。
【０００６】
従ってこの特許文献２の基礎構築用コンクリート製ブロック体によれば、玉石を含んだベース上に、該ブロック体の下面から垂下突出するＵ字状鉄筋棒の長さより高い複数の台座ブロックを離間状態に配置し、該ブロック体の一部を該台座ブロック上に載せ、該ブロック体の下面から垂下するＵ字状鉄筋棒に横方向から複数の鉄筋棒を差し込み、更に別の鉄筋棒を以上の鉄筋棒に交差状態で係止させた後、該ブロック体の下面以下に生コンクリートを打設して硬化させ、ブロック塀等に用いることが可能な基礎を構築することができる。
【０００７】
従ってこの特許文献２のブロック体によれば、その下面にＵ字状鉄筋棒が配設してあるため、それ自体を建設機械等を用いて吊り下げ移動するのに好都合であり、所要の場所に設置する際に、前記のように、生コンクリートの流し込み作業が一度で済み、より短い作業時間で効率的に基礎を構築することが可能であるとされる。また土間コンクリートと一体になった安定性の高い基礎を構築できるものでもあるとされる。そして、以上の面では、そのとおりであると思われるが、コンクリートの打設作業が必要であり、様々な態様のブロック塀に対応する種々の基礎、例えば、逆Ｔ形基礎、Ｉ形基礎、Ｌ形基礎を簡単に構築することはできない。
【先行技術文献】
【特許文献】
【０００８】
【特許文献１】特開平０９−０３２３５９号公報
【特許文献２】特開平１１−０９３１８１号公報
【考案の概要】
【考案が解決しようとする課題】
【０００９】
本考案は、コンクリートの現場打ち作業を無くし、予め成形しておく少数の部品ブロックを組み合わせて、構築予定のブロック塀の高さその他の目的とするブロック塀の態様に応じてＩ形基礎、逆Ｔ形基礎又はＬ形基礎を組み立てて容易に設置することのできる、ブロック塀用の組立基礎ブロックを提供することを解決の課題とするものである。
【課題を解決するための手段】
【００１０】
本考案の１は、鉄筋コンクリートで構成した立ち上がり部用及びフーチング部用のいずれにも用いることのできる長方形の板状セグメントブロックと、二つの該板状セグメントブロックを端面視で逆Ｔ字状に結合するためのボルト部材とで構成し、
前記板状セグメントブロックには、その両長辺に、各々その両長辺の面に開口する複数のナット部材であって、該両長辺の面に開口する各々が同数であり、相互に該板状セグメントブロックの長さ方向の対応する位置関係に配され、かつ前記ボルト部材と螺合しうる複数のナット部材を配設し、加えて該両長辺間に、該両長辺の面に開口すべく配した前記各対応関係のある二つのナット部材を結ぶ仮装線の中央に位置させて、両面を貫通する、前記ボルト部材を貫通させうるボルト貫通孔を開口したブロック塀用の組立基礎ブロックである。
【００１１】
本考案の２は、本考案の１のブロック塀用の組立基礎ブロックにおいて、
前記板状セグメントブロックに、鉄筋コンクリートで構成した立ち上がり部用の長方形の幅広板状セグメントブロックを組み合わせたものであり、
前記幅広板状セグメントブロックを、前記板状セグメントブロックより幅広で、該板状セグメントブロックと同一厚さ及び同一長さに構成し、
かつ該幅広板状セグメントブロックには、その一方の長辺の面に、前記板状セグメントブロックのそれと同一の位置関係で複数のナット部材を開口すべく配設し、
更に該幅広板状セグメントブロックには、その幅方向には、その他方の長辺から前記板状セグメントブロックの厚さの１／２の距離だけ内側に、その長さ方向には、前記ナット部材と対応する位置関係に、前記ボルト部材を貫通させうるボルト貫通孔を開口させたものである。
【００１２】
本考案の３は、本考案の１又は２のブロック塀用の組み立て基礎ブロックにおいて、
前記ボルト貫通孔を、前記ボルト部材の頭部が対応することとなる一端側を該ボルト部材の頭部を嵌合することができる拡大部に構成したものである。
【考案の効果】
【００１３】
本考案の１のブロック塀用の組立基礎ブロックによれば、ブロック塀用の基礎を構築する際に、目的とするブロック塀の態様に応じて、例えば、目的とするブロック塀の高さが１．２ｍを下回るような場合には、前記板状セグメントブロックを一枚のみ利用してＩ形基礎を構築し、目的とするブロック塀の高さが１．６ｍを越えるような場合には、前記板状セグメントブロックを二枚利用し、一方をフーチング部用に、他方を立ち上がり部用に用いて逆Ｔ形基礎を構築することができる。目的に応じた基礎を容易に構成することができる訳である。
【００１４】
前記Ｉ形基礎の構築は、前記のように、一枚の前記板状セグメントブロックのみを用いることとし、所要位置を所要深さに掘り下げて割栗石を配し、かつ締め固め、捨てコンクリートを打設した上で、該板状セグメントブロックをその幅方向を上下にして該捨てコンクリート上に配し、かつ所要高さまで埋め戻しを行い、幅方向上端側の必要数のナット部材にアンカーボルトの下端を螺合すれば、完了である。極めて簡単かつスピーディに基礎を構築できる。
【００１５】
前記逆Ｔ形基礎の構築は、以上のＩ形基礎の場合と捨てコンクリートの打設までは同様であり、捨てコンクリートの上に、二枚の板状セグメントブロックで作成した逆Ｔ形基礎を組み立てて配置し、埋め戻しを行えば、完了である。
【００１６】
この逆Ｔ形基礎の組み立ては、種々の手順で行うことが可能であるが、例えば、立ち上がり部用として用いる一枚の板状セグメントブロックを、その下方に適当な支持部材を配置して、該板状セグメントブロックのナット部材を開口した一方の長辺側が上になるように、斜め上向き状態に配置し、そのナット部材を開口した長辺の面に、フーチング部用として用いる板状セグメントブロックの中央部を当接し、中央部を当接した該板状セグメントブロックの反対側の面からそのボルト貫通孔を通じて前記ボルト部材を貫通させ、立ち上がり部用の板状セグメントブロックのナット部材にねじ込み結合する。これを、ボルト貫通孔及びナット部材の数だけ行えば、逆Ｔ形基礎の組み立ては完了である。この後は、この逆Ｔ形基礎を起こして、フーチング部である板状セグメントブロックを正しく前記捨てコンクリート上に載せた状態にして立ち上がり部である板状セグメントブロックの所要の高さまで埋め戻せば良い。
【００１７】
以上のように、本考案の１のブロック塀用の組立基礎ブロックによれば、Ｉ形基礎及び逆Ｔ形基礎のいずれについても現場打ちの基礎と比較して極めてスピーディかつ簡単に構築することが可能であり、しかも十分な強度を備えたものとすることができる。
【００１８】
本考案の２のブロック塀用の組立基礎ブロックによれば、ブロック塀用の基礎を構築する際に、例えば、目的とするブロック塀の高さが１．６ｍを越えるような場合であって、端面視でＬ形の基礎を構築したい場合に特に有用である。すなわち、前記板状セグメントブロックと幅広板状セグメントブロックとを組み合わせて、二枚の板状セグメントブロックで構成した逆Ｔ形基礎と同一高さ又は近い高さのそれを容易に構築することができる。
【００１９】
すなわち、このＬ形基礎の構築は、前記Ｉ形基礎及び逆Ｔ形基礎の場合と捨てコンクリートの打設までは同様に行い、板状セグメントブロックをフーチング部に、幅広板状セグメントブロックを立ち上がり部にすべく、これらをＬ型に結合してＬ形基礎を組み立てながら、これを、前記のように作成した捨てコンクリートの上に配置し、所要の高さまでの埋め戻しを行えば、基礎の構築作業は完了である。
【００２０】
このＬ形基礎の組み立ては、例えば、まず、立ち上がり部として用いる幅広板状セグメントブロックをボルト貫通孔をその辺に沿って開口した長辺を下にして前記捨てコンクリートの所要の位置（基礎を立ち上げるべき位置）に立ち上げ、該立ち上がり部用の幅広板状セグメントブロックの該長辺（下端側の長辺）に、ナット部材を開口させた両長辺のいずれかの一方の面を接する状態で板状セグメントブロックを該捨てコンクリート上に配する。該板状セグメントブロックは、以上のように、フーチング部として用いることになるものである。
【００２１】
該板状セグメントブロックのナット部材の各々の開口軸心と幅広板状セグメントブロックのボルト貫通孔の軸心とを一致させ、該幅広板状セグメントブロックの反対側の面からそのボルト貫通孔を通じて前記ボルト部材を貫通させ、該フーチング部を構成する板状セグメントブロックのナット部材にねじ込み結合する。これを、ボルト貫通孔及びナット部材の数だけ行えば、Ｌ形基礎の組み立ては完了である。この後は、該Ｌ形基礎のフーチング部を構成する板状セグメントブロック及び立ち上がり部を構成する幅広板状セグメントブロックの所要の位置まで埋め戻せば良い。
【００２２】
以上のように、本考案の２のブロック塀用の組立基礎ブロックによれば、Ｌ形基礎を現場打ちの基礎と比較して極めてスピーディかつ簡単に構築することが可能であり、しかも十分な強度を備えたものとすることができる。
【００２３】
本考案の３のブロック塀用の組み立て基礎ブロックによれば、ボルト貫通孔の該当する部位にボルト部材の頭部を嵌合させる拡大部を構成したので、ボルト部材で、二枚の板状セグメントブロックを逆Ｔ型に結合した場合又は板状セグメントブロックと幅広板状セグメントブロックとをＬ形に結合した場合のいずれの場合においても、ボルト頭部が前記拡大部に嵌合状態となり、外部に突出することがないので、取り扱いがしやすくなる利点が得られる。
【図面の簡単な説明】
【００２４】
【図１】(a)は板状セグメントブロックの正面図、(b)は底面図、(c)は(a)の中央部横断面図、(d)は右側面図、(e)はボルト部材の側面図。
【図２】(a)は幅広板状セグメントブロックの正面図、(b)は底面図、(c)は右側面図。
【図３】(a)はＩ形基礎の作成状態を示す端面図、(b)は正面図。
【図４】(a)は逆Ｔ形基礎の組み立て過程を示す端面図、(b)は逆Ｔ形基礎の組み立てた状態の端面図、(c)は逆Ｔ形基礎の組み立てた状態の正面図。
【図５】(a)はＬ形基礎の組み立て過程を示す端面図、(b)はＬ形基礎の組み立てた状態の端面図、(c)はＬ形基礎の組み立てた状態の正面図、(d)はＬ形基礎の組み立てた状態の背面図。
【考案を実施するための形態】
【００２５】
考案を実施するための形態を実施例に基づき図面を参照しながら詳細に説明する。
【００２６】
＜実施例１＞
この実施例１のブロック塀用の組立基礎ブロックは、図１(a)〜(e)に示すように、基本的に、正面視で長方形の板状セグメントブロック１及び二枚の板状セグメントブロック１、１の結合用のボルト部材２、２…とで構成したものである。
【００２７】
前記板状セグメントブロック１には、図１(a)に示すように、その両方の長辺に、それぞれその面に開口する複数のナット部材３、３…を埋め込んであり、かつ、図１(a)〜(d)に示すように、その幅方向中央に長さ方向に沿ってその両面を貫通するボルト貫通孔４、４…を開口してある。同図に示すように、両長辺の面に開口するナット部材３、３…は、相互に長さ方向に対応する位置関係に位置し、かつ各ボルト貫通孔４、４…もそれぞれ両長辺の相互に対応する各一対のナット部材３、３の中間に位置するように構成してある。
【００２８】
前記各ナット部材３、３…は、図１(a)に示すように、最奥側外周に鍔体が構成してあり、板状セグメントブロック１中に容易に抜けることがないように埋設されている。また前記ボルト貫通孔４、４…は、図１(b)〜(d)に示すように、その一端に、これに貫通状態に挿入する前記ボルト部材２、２…の頭部２ａを嵌合させる拡大部４ａが構成してあり、該拡大部４ａから他端までは他端側に向かって徐々に細くなるテーパ状に構成してある。勿論、最も小径の部分でも該ボルト部材２、２…の径より大径であることは云うまでもない。
【００２９】
前記板状セグメントブロック１は、鉄筋コンクリートで構成したものであり、一般の技法により、型枠を用いて、その内部に一般の現場打ちのコンクリート基礎の場合と同様に、鉄筋１ａ、１ａ…を配し、コンクリートを打設して成形したものである。
【００３０】
この実施例１では、板状セグメントブロック１は、前記し、かつ図１(a)〜(d)に示すように、その厚さｔ１が１５０ｍｍ、幅Ｗ１が４１０ｍｍ、長さＬ１が２０００ｍｍの長方形の板材に構成したものである。
【００３１】
前記板状セグメントブロック１のナット部材３、３…は、前記し、かつ図１(a)、(d)に示すように、その両長辺の面に開口する状態に埋め込んだものである。この埋め込みは、当然、コンクリートでこの板状セグメントブロック１を成形する際に行うのは言うまでもない。この実施例１では、各長辺毎に５個を埋め込んだが、この数はこれに限定されない。もっともこれらの各長辺毎のナット部材３、３…と詳しくは後述する前記ボルト貫通孔４、４…が同数であり、相互の位置関係も、前記したように、対応するものである必要があるのは云うまでもない。なお、このナット部材３、３…は、前記ボルト部材２、２…が螺合可能なサイズ及び螺旋ピッチのそれとする。
【００３２】
前記ボルト貫通孔４、４…は、前記し、かつ図１(a)〜(d)に示すように、前記板状セグメントブロック１の両長辺の中間で該両長辺に平行な仮想線に沿ってその表裏を貫通する状態に構成する。なお、該ボルト貫通孔４、４…は、該板状セグメントブロック１を成形する際に該当する部位に成形するものとする。この部位に同一外形の円筒体又は棒体を配して構成することができる。この実施例１では、５個を構成したが、この数はこれに限定されない。もっともこれらのボルト貫通孔４、４…と各長辺毎のナット部材３、３…とは、前記したように、同数であり、位置関係も対応するものである必要があるのは云うまでもない。なお、このボルト貫通孔４、４…は、前記したように、前記ボルト部材２、２…が貫通可能なサイズのそれとする。
【００３３】
従ってこの実施例１のブロック塀用の組立基礎ブロックによれば、ブロック塀用の基礎を構築する際に、目的とするブロック塀の態様に応じて、例えば、目的とするブロック塀の高さが１．２ｍを下回るような場合には、一枚の前記板状セグメントブロック１のみを利用してＩ形基礎を構築し、目的とするブロック塀の高さが１．６ｍを越えるような場合には、二枚の板状セグメントブロック１、１とボルト部材２、２…を利用して、二枚の板状セグメントブロック１、１を逆Ｔ形に結合して逆Ｔ形基礎を構築することができる。目的に応じた基礎を容易に構成することができることになるわけである。
【００３４】
前記逆Ｔ形基礎の構築は、所要位置を所要深さに掘り下げて割栗石を配し、かつ締め固め、捨てコンクリートを打設した上で、該捨てコンクリートの上に、二枚の板状セグメントブロック１、１で逆Ｔ形基礎を組み立てて配置し、所要の高さまで埋め戻しを行えば、完了である。
【００３５】
この逆Ｔ形基礎の組み立ては、図４(a)に示すように、立ち上がり部として用いる板状セグメントブロック１を、その一方の長辺を下部にして直立させ、その下端に、フーチング部として用いる他方の板状セグメントブロック１の幅方向中央部を当接させるべく、その下方に該板状セグメントブロック１を水平に配し、更にその下方から該板状セグメントブロック１のボルト貫通孔４、４…を通じて前記ボルト部材２、２…を挿入し、かつその先端を立ち上がり部として用いる板状セグメントブロック１の下方の長辺のナット部材３、３…にねじ込み結合し、該立ち上がり部用の板状セグメントブロック１とフーチング部用の板状セグメントブロック１とを、図４(b)、(c)に示すように、逆Ｔ形に結合固定することで行う。
【００３６】
実際には、同様の作業を、立ち上がり部に用いる板状セグメントブロック１を、その下方に適当な支持部材を配置して、該板状セグメントブロック１の一方の長辺が上になるように、斜め上向き状態に配置し、その長辺の面に、フーチング部として用いる他の板状セグメントブロック１の幅方向中央部を当接させ、該フーチング部用の板状セグメントブロック１の反対側の面からそのボルト貫通孔４、４…を通じて前記ボルト部材２、２…を貫通させ、前記立ち上がり部用の板状セグメントブロック１のナット部材３、３…にねじ込み結合するような態様で行う。
【００３７】
こうして逆Ｔ形基礎の組み立ては完了である。この後は、この逆Ｔ形基礎を起こして、フーチング部である板状セグメントブロック１を正しく前記捨てコンクリート上に載せた状態にして立ち上がり部である板状セグメントブロック１の所要の部位まで埋め戻せばブロック塀用の基礎の構築は完了である。
【００３８】
前記Ｉ形基礎の構築は、前記板状セグメントブロック１を一枚のみ用いることとし、所要位置を所要深さに掘り下げて割栗石を配し、かつ締め固め、捨てコンクリートを打設した上で、図３(a)、(b)に示すように、該板状セグメントブロック１を幅方向を上下にして該捨てコンクリート上に配し、かつ立ち上がり部となる該板状セグメントブロック１の所要の高さまで埋め戻しを行えば、完了である。
【００３９】
以上のように、この実施例１のブロック塀用の組立基礎ブロックによれば、Ｉ形基礎及び逆Ｔ形基礎のいずれも現場打ちの基礎と比較して極めてスピーディかつ簡単に構築可能であり、しかも十分な強度を備えたものとすることができる。
【００４０】
＜実施例２＞
この実施例２のブロック塀用の組立基礎ブロックは、図１及び図２に示すように、基本的に、正面視で長方形の板状セグメントブロック１及び同様に正面視で長方形の幅広板状セグメントブロック５と、両者の結合用のボルト部材２、２…とで構成したものであり、該板状セグメントブロック１及び該ボルト部材２、２…は、それぞれ実施例１のそれらと全く同様の構成である。
【００４１】
前記幅広セグメントブロック５は、前記板状セグメントブロック１より、その厚さ分に近い幅寸法（僅かに狭い）だけ幅広で、該板状セグメントブロック１と同一厚さ及び同一長さに構成したものである。また該幅広板状セグメントブロック５には、図２(a)〜(c)に示すように、その一方の長辺に、前記板状セグメントブロック１のそれと同一の位置関係で複数のナット部材６、６…を開口すべく埋設する。また該幅広板状セグメントブロック５には、その幅方向には、その他方の長辺からこの幅広板状セグメントブロック５（前記板状セグメントブロック１）の厚さの１／２の距離だけ内側に、長さ方向には、前記ナット部材６、６…と対応する位置関係に、前記ボルト部材２、２…を表裏貫通させうるボルト貫通孔７、７…を開口させたものである。
【００４２】
前記幅広板状セグメントブロック５は、前記板状セグメントブロック１と同様に、鉄筋コンクリートで構成したものであり、一般の技法により、型枠を用いて、その内部に一般の現場打ちのコンクリート基礎の場合と同様に、鉄筋５ａ、５ａ…を配し、コンクリートを打設して成形したものである。
【００４３】
この実施例２では、幅広板状セグメントブロック５は、前記し、かつ図２(a)〜(c)に示すように、その厚さｔ２が、板状セグメントブロック１のそれと同様の１５０ｍｍ、幅Ｗ２が、該板状セグメントブロック１の厚さｔ１を１０ｍｍだけ下回る１４０ｍｍだけ広い５５０ｍｍ、長さＬ２が板状セグメントブロック１のそれと同様の２０００ｍｍの長方形板材に構成したものである。
【００４４】
前記幅広板状セグメントブロック５のナット部材６、６…は、前記し、かつ図２(a)〜(c)に示すように、その一方の長辺の面に開口する状態に埋め込んだものである。この埋め込みは、板状セグメントブロック１の場合と同様に、当然、コンクリートでこの幅広板状セグメントブロック５を成形する際に行うのは言うまでもない。このナット部材６、６…は、実施例１のナット部材３、３…と全く同一の構成であり、該幅広板状セグメントブロック５、５…の一方の長辺に、前記板状セグメントブロック１の長辺におけると同数を同一の設置態様で配するものとする。従ってこのナット部材６、６…は、前記ボルト部材２、２…が螺合可能なサイズ及び螺旋ピッチのそれである。
【００４５】
前記ボルト貫通孔７、７…は、前記し、かつ図２(a)〜(c)に示すように、前記幅広板状セグメントブロック５の他方の長辺に沿ってその表裏を貫通する状態に構成する。該ボルト貫通孔７、７…は、該長辺の縁から該幅広板状セグメントブロック５（板状セグメントブロック１）の厚さの１／２の距離、すなわち、この場合は、該長辺の縁から７５ｍｍの距離の該長辺と平行な仮想線に沿って配置する。フーチング部として用いる板状セグメントブロック１の一方の長辺を、図５(a)、(b)に示すように、双方でＬ型を構成するように、幅広板状セグメントブロック５に接合した場合に、該幅広板状セグメントブロック５の前記ボルト貫通孔７、７…と板状セグメントブロック１の対応する長辺の面に開口するナット部材３、３…との軸心を互に一致するようにする趣旨からである。
【００４６】
なお、前記ボルト貫通孔７、７…は、幅広板状セグメントブロック５を成形する際に該当する部位に対応する形状の成形用金属管又は金属棒を配して作成するものとする。この実施例２では、５個を構成したが、この数はこれに限定されない。もっともこれらのボルト貫通孔７、７…とナット部材６、６…が同数であり、長さ方向の位置関係も対応するものである必要があるのは云うまでもない。またこのボルト貫通孔７、７…は、云うまでもなく、前記ボルト部材２、２…が貫通可能なサイズのそれである。
【００４７】
また前記ボルト貫通孔７、７…は、前記ボルト貫通孔４、４…と同様に、その一端に、これに貫通状態に挿入する前記ボルト部材２、２…の頭部２ａを嵌合させる拡大部７ａが構成してあり、該拡大部７ａから他端までは他端に向かって徐々に細くなるテーパ状に構成してある。板状セグメントブロック１のボルト貫通孔４、４…と同様の構成である。
【００４８】
従ってこの実施例２のブロック塀用の組立基礎ブロックによれば、ブロック塀用の基礎を構築する際に、特に目的とするブロック塀の高さが１．６ｍを越えるような場合に有効であり、この場合に、幅広板状セグメントブロック５と板状セグメントブロック１とを利用し、その目的に有効であるＬ型基礎を容易に構築することができる。
【００４９】
前記Ｌ形基礎の構築は、実施例１の逆Ｔ形基礎の場合と捨てコンクリートの打設までは同様であり、捨てコンクリートの上に、フーチング部用の板状セグメントブロック１と立ち上がり部用の幅広板状セグメントブロック５とでＬ形基礎を組み立てながら、これを配置し、立ち上がり部を構成する幅広板状セグメントブロック５の所要の部位までの埋め戻しを行えば、完了である。
【００５０】
このＬ形基礎の組み立ては、まず、図５(a)に示すように、立ち上がり部用の幅広板状セグメントブロック５をそのボルト貫通穴孔７、７…をその辺に沿って開口した長辺を下にして前記捨てコンクリートの所要の位置（基礎を立ち上げるべき位置）に立ち上げ、該立ち上がり部用の幅広板状セグメントブロック５の下部、すなわち、該長辺側の部位に、フーチング部用の板状セグメントブロック１の一方の長辺の面を、相互の下部を一致させつつ当接させながら、該板状セグメントブロック１を該捨てコンクリート上に配する。
【００５１】
こうして、フーチング部用である該板状セグメントブロック１の長辺の面に開口するナット部材３、３…の各々の開口軸心と立ち上がり部用である幅広板状セグメントブロック５の長辺の直上のボルト貫通孔７、７…の開口軸心とを一致させ、該立ち上がり部用である幅広板状セグメントブロック５の反対側の面からそのボルト貫通孔７、７…を通じて前記ボルト部材２、２…を貫通させ、該フーチング部用である板状セグメントブロック１のナット部材３、３…にねじ込み結合する。これを、ボルト貫通孔７、７…及びナット部材３、３…の数だけ行えば、図５(b)〜(d)に示すように、Ｌ形基礎の組み立ては完了である。この後は、該Ｌ形基礎のフーチング部である板状セグメントブロック１及び立ち上がり部である幅広板状セグメントブロック５の所要の位置まで埋め戻しを行えば良い。
【００５２】
以上のように、この実施例２のブロック塀用の組立基礎ブロックによれば、特にＬ形基礎を現場打ちの基礎と比較して極めてスピーディかつ簡単に構築可能であり、しかも十分な強度を備えたものとすることができる。
【産業上の利用可能性】
【００５３】
本考案は、コンクリート製品の製造の分野で有効に用いることができる。
【符号の説明】
【００５４】
１    板状セグメントブロック
１ａ  鉄筋
２    ボルト部材
２ａ  ボルト部材の頭部
３    ナット部材
４    ボルト貫通孔
４ａ  ボルト貫通孔の拡大部
５    幅広板状セグメントブロック
５ａ  鉄筋
６    ナット部材
７    ボルト貫通孔
７ａ  ボルト貫通孔の拡大部
Ｌ１  板状セグメントブロックの長さ
Ｌ２  幅広板状セグメントブロックの長さ
ｔ１  板状セグメントブロックの厚さ
ｔ２  幅広板状セグメントブロックの厚さ
Ｗ１  板状セグメントブロックの幅
Ｗ２  幅広板状セグメントブロックの幅
【図１】
0003173315.tif 000003
【図２】
0003173315.tif 000004
【図３】
0003173315.tif 000005
【図４】
0003173315.tif 000006
【図５】
0003173315.tif 000007